(57)【要約】      （修正有）【課題】購入後も身の回り品、小物衣類の整頓具として使用可能な衣類陳列用ハンガーを提供する。【解決手段】衣類陳列用ハンガー１は、可撓性の素材から形成されるシート部材１０と、シート部材１０と連結される鈎状部材２０とを有し、シート部材１０が折り曲げられることにより、長板部１１と、長板部１１に対向する短板部と、側板部１１と短板部とを連結する中間板部１３とが形成され、長板部１１にはスリット開口１６が形成されていると共に、鈎状部材２０は中間板部１３に連結され、長板部１１と短板部の間に小物衣類を保持した状態で、鈎部２２を外部部材に係合させてシート部材１０及び小物衣類を吊り下げることで第１の陳列モードをとり、長板部１１を小物衣類に巻き付けた状態で、鈎部２２をスリット開口１６に係合させることにより整頓モードをとる。【選択図】図８
0003224848.tif 000002
【実用新案登録請求の範囲】
【請求項１】
可撓性の素材から形成されるシート部材と、前記シート部材と連結される鈎状部材とを有し、
前記シート部材が折り曲げられることにより、第１の側板部と、前記第１の側板部に対向する第２の側板部と、前記第１の側板部と前記第２の側板部とを連結する中間板部とが形成され、前記第１の側板部には開口が形成されていると共に、前記鈎状部材は前記中間板部に連結され、
前記第１の側板部と前記第２の側板部の間に小物衣類を保持した状態で、前記鈎状部材を外部部材に係合させることにより前記シート部材及び前記小物衣類を吊り下げ可能とする第１の陳列モードをとり、
丸めた状態の前記小物衣類の周囲を前記シート部材で包み込んだ状態で、前記鈎状部材を前記開口に係合させることにより前記小物衣類の巻きほどきを抑制する整頓モードをとることを特徴とする衣類陳列用ハンガー。
【請求項２】
丸めた状態の前記小物衣類の周囲を前記シート部材で包み込んだ状態で、前記鈎状部材の鈎部を前記開口を介して突出させ、突出させた前記鈎部を外部部材に係合させることで第２の陳列モードをとることを特徴とする請求項１に記載の衣類陳列用ハンガー。
【請求項３】
前記鈎状部材は、ベース部と、前記ベース部に連結した鈎部とを有し、前記ベース部の少なくとも一部は、前記第１の側板部と前記第２の側板部の間に配置され、前記鈎部は前記中間板部に形成された孔から突出することを特徴とする請求項１又は２に記載の衣類陳列用ハンガー。
【請求項４】
前記開口の最大長は、前記孔の最大長よりも長いことを特徴とする請求項３に記載の衣類陳列用ハンガー。
【考案の詳細な説明】
【技術分野】
【０００１】
本考案は、衣類陳列用ハンガーに関する。
【背景技術】
【０００２】
靴下などの小物衣類を販売する販売店では、狭いスペースにて効率的に商品配置を行えるよう、小物衣類を保持した簡易なハンガーをパネルの掛け金等に引っ掛けて陳列することが行われている。
【０００３】
特許文献１には、プラスチック板又は厚紙などで形成され、フック部を上端に備えた背面部材と、背面部材の一側に連設された吊り下げ部と、背面部材の他側に連設されたバンド部とを有する靴下吊り下げ具が開示されている。この靴下吊り下げ具によれば、二つ折りした靴下を跨がせて掛けた吊り下げ部を背面部材に向かって折り曲げ、更にバンド部を吊り下げ部に向かって折り曲げて、その係止片を背面部材に係止することで、靴下を保持できる。かかる状態で、背面部材のフック部を掛け金等に引っ掛ければ、靴下の陳列を行うことができる。
【先行技術文献】
【特許文献】
【０００４】
【特許文献１】実公昭５７−２７３４４号公報
【考案の概要】
【考案が解決しようとする課題】
【０００５】
特許文献１に示すような靴下吊り下げ具は、一般的には靴下と共に販売されるため、購入した客は靴下吊り下げ具から靴下を外し、靴下吊り下げ具を分離して、ごみとして廃棄処分している。しかし、特に最近は環境保護の観点から、ごみの排出削減が求められている。これに対し、靴下吊り下げ具を販売店で回収して再利用することも一案であるが、回収の手間やコストなどを考えると、靴下吊り下げ具の再利用は困難であるといえる。
【０００６】
本考案は、かかる従来技術の問題点に鑑みてなされたものであり、購入後も身の回り品、小物衣類の整頓具として使用可能な衣類陳列用ハンガーを提供することを目的とする。
【課題を解決するための手段】
【０００７】
本考案の衣類陳列用ハンガーは、
可撓性の素材から形成されるシート部材と、前記シート部材と連結される鈎状部材とを有し、
前記シート部材が折り曲げられることにより、第１の側板部と、前記第１の側板部に対向する第２の側板部と、前記第１の側板部と前記第２の側板部とを連結する中間板部とが形成され、前記第１の側板部には開口が形成されていると共に、前記鈎状部材は前記中間板部に連結され、
前記第１の側板部と前記第２の側板部の間に小物衣類を保持した状態で、前記鈎状部材を外部部材に係合させることにより前記シート部材及び前記小物衣類を吊り下げ可能とする第１の陳列モードをとり、
丸めた状態の前記小物衣類の周囲を前記シート部材で包み込んだ状態で、前記鈎状部材を前記開口に係合させることにより前記小物衣類の巻きほどきを抑制する整頓モードをとることを特徴とする。
【考案の効果】
【０００８】
本考案によれば、購入後も身の回り品、小物衣類の整頓具として使用可能な衣類陳列用ハンガーを提供することができる。
【図面の簡単な説明】
【０００９】
【図１】図１は、シート部材の斜視図である。
【図２】図２は、鈎状部材の正面図である。
【図３】図３は、シート部材と鈎状部材とにより衣類陳列用ハンガーを組み立てる工程を示す斜視図である。
【図４】図４は、本実施形態の衣類陳列用ハンガーの斜視図である。
【図５】図５は、小物衣類としての靴下を示す図である。
【図６】図６は、本実施形態の衣類陳列用ハンガーにより図５の靴下を保持した状態を示す斜視図である。
【図７】図７は、丸めた靴下を本実施形態の衣類陳列用ハンガーで包み込む前の状態を示す図である。
【図８】図８は、丸めた靴下を本実施形態の衣類陳列用ハンガーで包む状態を説明するための図である。
【図９】図９は、丸めた靴下を本実施形態の衣類陳列用ハンガーで包み込んだ状態を示す図である。
【図１０】図１０は、本実施形態の衣類陳列用ハンガーによりインナーを保持した状態を示す斜視図である。
【図１１】図１１は、丸めたインナーを本実施形態の衣類陳列用ハンガーで包み込んだ状態を示す図である。
【考案を実施するための形態】
【００１０】
以下、図面を参照して本考案の実施形態について説明する。本実施形態の衣類陳列用ハンガーにより保持可能な小物衣類（身の回り品を含む）としては、例えば靴下、インナー、手袋、バンダナ（ハンカチ）、スカーフ、ショール、マフラー、ベール、サポーター、脚絆、腕抜きなどがあるが、それらに限られない。
【００１１】
図１は、シート部材１０の斜視図である。図２は、鈎状部材２０の正面図である。本実施形態の衣類陳列用ハンガー１は、シート部材１０と、鈎状部材２０とから構成される。シート部材１０は、プラスチック板、紙、布地、編地などの細長い可撓性の素材から形成される。本実施形態ではシート部材１０は等幅の形状で示しているが、先細形状や鼓形状などを有していてもよい。図１に示すように、シート部材１０の長手方向をＹ方向とし、シート部材１０の短手方向（幅方向）をＸ方向とする。
【００１２】
シート部材１０は、長板部（第１の側板部）１１と、短板部（第２の側板部）１２と、Ｙ方向における長板部１１と短板部１２との間でこれらを連結する中間板部１３とを有する。図１に点線で示す折り曲げ線１４，１５が、長板部１１と中間板部１３との境界、及び短板部１２と中間板部１３との境界になる。本実施形態では、長板部１１のＹ方向寸法が、短板部１２のＹ方向寸法より長くなっているが、両者の長さを等しくしてもよい。
【００１３】
長板部１１のＹ方向端部近傍には、Ｘ方向に延在するスリット状の開口（以下、スリット開口という）１６が形成されている。また、中間板部１３の中央には、Ｘ方向に延在する長い孔（以下、長孔という）１７が形成されている。スリット開口１６のＸ方向長（最大長）は、長孔１７のＸ方向長（最大長）より長くなっている。シート部材１０は、折り曲げ線１４，１５にて折り曲げ可能となっている。
【００１４】
図２に示す鈎状部材２０は、板状のプラスチックや紙（好ましくは圧縮紙）などの比較的強度が高い素材から形成され、その厚みは、スリット開口１６及び長孔１７の幅（Ｙ方向寸法）より小さくなっている。
【００１５】
鈎状部材２０は、ベース部２１と鈎部２２とを連設してなる。ベース部２１は、上側バー２３と、上側バー２３と並行して延在する下側バー２４と、上側バー２３と下側バー２４とを中間位置で連結する連結部２５と、から構成される。上側バー２３及び下側バー２４の水平方向長さ（長手方向長さ）は、長孔１７のＸ方向長より長くなっており、また連結部２５の水平方向長さは、長孔１７のＸ方向長より若干短くなっている。更に、上側バー２３の水平方向長さは、スリット開口１６のＸ方向長より若干長くなっている。
【００１６】
図２における連結部２５の左方において上側バー２３と下側バー２４との間に左スリット２６が形成され、一方、連結部２５の左スリット２６とは反対側において上側バー２３と下側バー２４との間に右スリット２７が形成される。左スリット２６及び右スリット２７のスリット幅は、シート部材１０の板厚より広く、また右スリット２７の長さ(連結部２５から開放端までの距離)は、左スリット２６の長さ(連結部２５から開放端までの距離)より長くなっている。更に、右スリット２７は、その中間位置で上下方向にシフトしてなり、いわゆるクランク形状を有しており、更に該中間位置において上側バー２３に段部２８を形成している。
【００１７】
鈎部２２は、図２に示すように、約３／４周にわたって延在する環状を有し、その下端が上側バー２３の中央部分に連結されている。
【００１８】
（衣類陳列用ハンガーの組み立て工程）
図３は、シート部材１０と鈎状部材２０とにより衣類陳列用ハンガー１を組み立てる工程を示す斜視図である。図４は、組み立てられた衣類陳列用ハンガーの斜視図である。図３、４を参照して、衣類陳列用ハンガー１を組み立てる工程を説明する。
【００１９】
まず、シート部材１０を折り曲げ線１４，１５にて略直角に、すなわちコ字状になるように折り曲げる。それにより、長板部１１と短板部１２とは中間板部１３を介して互いに対向するようになる。かかる状態を維持しつつ、中間板部１３に向かって、鈎状部材２０のベース部２１をＹ方向上方から接近させる。次いで、鈎状部材２０を若干傾けつつ、図３の矢印に示すように、下側バー２４の右端を長孔１７に進入させ、更に中間板部１３の上下両面に沿って上側バー２３と下側バー２４をＸ方向右側にスライドさせて、右スリット２７が中間板部１３を取り込むように、ベース部２１を長孔１７内に押し入れてゆく。
【００２０】
長孔１７に沿って中間板部１３に対してベース部２１を相対移動させた後、鈎状部材２０の右スリット２７の奥端が連結部２５に到達すると、下側バー２４の左端が長孔１７の左端よりも内側に位置するようになる。そこで、鈎状部材２０をシート部材１０に対してＹ方向下方に押し込むと、下側バー２４の左端が長孔１７内に進入するが、上側バー２３の左端は長孔１７からはみ出ているので、長孔１７内には進入せず、中間板部１３の上面に留まる。
【００２１】
かかる状態では、左スリット２６が長孔１７の左端に対向する位置になるため、そのままを鈎状部材２０をシート部材１０に対してＸ方向左側にスライドさせると、左スリット２６内に長孔１７の左端が進入する。かかる状態では、下側バー２４は長板部１１と短板部１２との間に位置することとなる。
【００２２】
その後、左スリット２６の奥端に長孔１７の左端が到達すると、段部２８が長孔１７の右端に対向する位置となるので、鈎状部材２０のベース部２１はシート部材１０の長孔１７に係合してＸ方向に保持された状態となる。一方、上側バー２３と下側バー２４のそれぞれ両端は、長孔１７の両端から外側に、はみ出ているため、鈎状部材２０のベース部２１は中間板部１３に対してＹ方向にも保持された状態となる。鈎状部材２０の上側バー２３と下側バー２４で中間板部１３を挟持した状態で、衣類陳列用ハンガー１の組み立てが完了する。組み立てられた状態の衣類陳列用ハンガー１を、図４に示す。
【００２３】
（第１の陳列モード）
被陳列品として靴下を用いた例を、以下に説明する。図５は、小物衣類としての靴下３０を示す図である。図６は、本実施形態の衣類陳列用ハンガー１により図５の靴下３０を保持した状態を示す斜視図である。
【００２４】
以下、第１の陳列モードについて説明する。図５に示すように、靴下３０は、レッグ３１とフット３２とから構成される。一足の靴下３０の爪先を口ゴムに近づけながら、折り曲げ線３３（一点鎖線で図示）にて二重に折り曲げて、レッグ３１とフット３２を重ねる。更に、重ねた靴下３０を、衣類陳列用ハンガー１の長板部１１と短板部１２との間に配置し、長手方向が揃うようにする。かかる状態を維持しつつ、長板部１１と短板部１２とで靴下３０を挟持する。そして、長板部１１と、靴下３０と、短板部１２を貫通する留糸４０で結束する。図６に示すように、靴下３０を衣類陳列用ハンガー１のシート部材１０に保持することができる。なお、留糸４０の代わりに、細いプラスチックの留め具などを用いてもよい。
【００２５】
不図示の立設したパネルに植設された掛け金（外部部材）４１に、鈎状部材２０の鈎部２２を引っ掛けることで、衣類陳列用ハンガー１に、シート部材１０と共に靴下３０を吊り下げる第１の陳列モードをとらせることができる。第１の陳列モードでは、客は販売の為に陳列された靴下３０に自由に触れることができ、生地の肌触りなどを確かめることができる。又、陳列スペースが狭くても多数の靴下３０を陳列することができる。
【００２６】
いずれかの靴下３０が気にいった客は、掛け金４１から衣類陳列用ハンガー１を取り外し、衣類陳列用ハンガー１が付随したまま靴下３０を購入する。外部に延びた留糸４０の端を引っ張ることで、留糸４０をシート部材１０から引き出すことができ、それにより購入した靴下３０を衣類陳列用ハンガー１から容易に分離させることができ、ユーザーの使用に供することができる。
【００２７】
（整頓モード）
図７は、丸めた靴下３０を本実施形態の衣類陳列用ハンガー１で包み込む前の状態を示す図である。図８は、丸めた靴下を本実施形態の衣類陳列用ハンガー１で包む状態を説明するための図である。
【００２８】
特に女性のユーザーは、小物衣類を丸めて引き出しに収納したり、カバンに詰めて旅行に持参することが多い。その理由は、小物衣類を折り畳んで収納する場合に比べると、丸めることによりコンパクトに整頓して小スペースに収納できることに加え、整頓された小物衣類全体を俯瞰して、色や柄など目的のものをすぐに選別できるからである。また、丸めて整頓された状態の小物衣類の見た目が良いという理由もある。しかしながら、小物衣類を単独で丸めたのみでは、出し入れのたびに巻きほどきが発生しやすく、そのたびに丸め直しを余儀なくされ、手間がかかる。
【００２９】
そこで、本実施形態の衣類陳列用ハンガー１では、第１の陳列モードのみならず、小物衣類を丸めた（巻いた）状態を維持可能な整頓モードをとることを可能としている。より具体的に説明すると、床またはテーブルなどに、靴下３０から取り外した衣類陳列用ハンガー１を、長板部１１の上に短板部１２が位置する状態で載置する。このとき、鈎状部材２０はシート部材１０に組み付けられたままである。次いで、図７に示すように、シート部材１０の上に、爪先又は口ゴム側から丸めた靴下３０を置き、長板部１１の端部と中間板部１３とを接近させて、シート部材１０により靴下３０を包み込む。
【００３０】
シート部材１０は可撓性の素材から形成されているので、その包み込みによって、丸めた靴下３０の外周に沿って湾曲し、また鈎状部材２０の鈎部２２がスリット開口１６に近づく。そこで、図８に示すように、鈎部２２を突出させるようにしてスリット開口１６を通過させて、突き出した鈎部２２の先端を長板部１１の外周側となる面に当接させる。この状態を、鈎部２２がスリット開口１６に係合しているという。この係合により鈎部２２とスリット開口１６との分離が抑止されるため、管状になったシート部材１０は、丸めた靴下３０の外周を全周にわたって保持した状態となり、衣類陳列用ハンガー１は整頓モードをとることができる。
【００３１】
整頓モードの状態では、衣類陳列用ハンガー１が靴下３０の巻きほどきを抑制するので、衣類陳列用ハンガー１と共に、ユーザーは靴下３０を引き出しやカバンなどに整頓して収納することが可能となる。また、靴下３０の出し入れを繰り返しても、巻きほどきの恐れはない。更に、丸めた靴下３０の両端は、シート部材１０からはみ出しており、ユーザーは整頓した状態で靴下３０の色や柄を視認することができる。なお、衣類陳列用ハンガー１により巻かれた靴下３０を使用に供する場合には、鈎部２２を引き込ませるようにしてスリット開口１６を通過させることで、スリット開口１６との係合が解かれるので、図７に示すようにシート部材１０を展開させることができる。これにより、ユーザーは巻かれた靴下３０を容易に取り出すことができる。
【００３２】
本実施形態によれば、商品販売時には衣類陳列用ハンガー１に第１の陳列モードをとらせることにより、販売される靴下３０の陳列を効率的に行える。一方、商品として販売された後に衣類陳列用ハンガー１に整頓モードをとらせることで、丸めた靴下３０の収納に用いることができ、それにより衣類陳列用ハンガー１の廃棄処分を抑制して、ユーザーの負担を軽減すると共に環境保護を図ることができる。また、衣類陳列用ハンガー１は、手持ちの靴下の収納にも利用できるから、本実施形態の衣類陳列用ハンガー１の廃棄処分は、従来のものに比して格段に減少すると期待される。
【００３３】
（第２の陳列モード）
図９は、丸めた靴下を衣類陳列用ハンガーで包み込んだ状態を示す図であり、本実施形態の変形例を示している。整頓モードにある衣類陳列用ハンガー１を更に変形させることで、第２の陳列モードとすることができる。
【００３４】
より具体的には、図８に示す整頓モードから、長板部１１のスリット開口１６の近傍を軽く歪ませつつ、図９に示すように、ベース部２１の上側バー２３を外部に露出するようにスリット開口１６をくぐらせて、その両端が長板部１１の外周側の面に位置するようにする。これにより、衣類陳列用ハンガー１が第２の陳列モードをとることができる。上側バー２３の全長はスリット開口１６の全長より長いので、何かのはずみで上側バー２３がスリット開口１６を通過してしまい長板部１１の内周側に戻るような不具合を阻止できる。
【００３５】
図９に示す状態では、鈎状部材２０の鈎部２２全体が、巻かれたシート部材１０の外側に出ているため、パネルに植設された掛け金４１（図６参照）に容易に引っ掛けることができ、靴下３０を販売の為に陳列することもできる。本変形例によれば、靴下３０を丸めた状態で陳列できるため、鉛直方向に沿って多数の靴下を陳列することが可能になり、それにより陳列スペースの効率化を図れる。また、ユーザーにしてみれば、第２の陳列モードで陳列された靴下３０を見ることによって、その収納状態を想像できるため、靴下の購買意欲が喚起される。
【００３６】
（小物衣類の他の例）
図１０は、本実施形態にかかる衣類陳列用ハンガー１によりインナーを保持した状態を示す斜視図である。図１１は、丸めたインナーを本実施形態にかかる衣類陳列用ハンガー１で包み込んだ状態を示す図である。本実施形態にかかる衣類陳列用ハンガー１により陳列される小物衣類は、靴下に限られずインナーなども適用可能である。
【００３７】
図１０において、インナーとして例示するショーツ５０は、縦に二つ折りされて、シート部材１０の長板部１１（図４参照）と短板部１２の間に保持され、さらに留糸４０の結束によりシート部材１０に取り付けられている。これにより、衣類陳列用ハンガー１は第１の陳列モードをとる。鈎状部材２０の鈎部２２を、パネルに植設された掛け金４１（図６参照）に引っ掛けることで、ショーツ５０を販売の為に陳列することができる。
【００３８】
一方、購入後にショーツ５０を丸めて収納する場合、ショーツ５０から取り外した衣類陳列用ハンガー１を、長板部１１の上に短板部１２が位置する状態で載置する。次いで、図７と同様に、シート部材１０の上に、端から丸めたショーツ５０を置き、長板部１１の端部と中間板部１３とを接近させる。
【００３９】
すると、シート部材１０が、丸めたショーツ５０の外周に沿って湾曲し、鈎状部材２０の鈎部２２がスリット開口１６に近づく。そこで、図１１に示すように、鈎部２２を突出するようにしてスリット開口１６を通過させ、突き出した先端を長板部１１の外周側となる面に当接させ、鈎部２２をスリット開口１６に係合させる。
【００４０】
この係合により鈎部２２とスリット開口１６との分離が抑止されるため、管状になったシート部材１０は、丸めたショーツ５０の外周を全周にわたって保持した状態となり、衣類陳列用ハンガー１は整頓モードをとることができる。この状態で、衣類陳列用ハンガー１と共にショーツ５０を引き出しやカバンに並べて収納することができる。このショーツ５０を使用に供する場合、以上とは逆の手順でシート部材１０を展開すればよい。
【００４１】
本実施形態のスリット開口１６は、図１〜９に示す実施形態のスリット開口１６よりも全長が短くなっているが、衣類陳列用ハンガー１は基本的に共通の構成を有する。ただし、上側バー２３よりも若干短い程度にスリット開口１６を更に長くして、図１１の整頓モードから、丸めたショーツ５０を保持したまま、鈎状部材２０の上側バー２３を、スリット開口１６にくぐらせることで、衣類陳列用ハンガー１に第２の陳列モード（図９参照）で吊り下げることもできる。
【００４２】
上述したように、従来の衣類陳列用ハンガーは商品の陳列を目的としており、商品が購入された後にはその目的が達成されるため、商品から分離されて廃棄処分とされていた。しかしながら、一般的には廃棄処分は購入した客側で行わなくてはならず、客の負担や環境負荷が課題となっている。一方、再利用を目的として衣類陳列用ハンガーを販売店で回収するようにすれば、その分客側の負担は減るが、返却された衣類陳列用ハンガーの相当数が破損又は汚損していることを想定すると、回収の手間に加え、再利用可能か否かの厳格な検査の手間もかかり、衣類陳列用ハンガーを再利用するには過大なコストを要する。
【００４３】
また、再利用不可とされた衣類陳列用ハンガーは、販売店側でまとめて廃棄処分せざるを得ないが、それが相当数に上る場合には、コストをかけた割には環境負荷が減らないという懸念がある。これに対し、本考案の衣類陳列用ハンガー１は、商品が購入された後に別な目的で使用することを可能とし、それにより衣類陳列用ハンガー１の廃棄処分を減らして環境保護に貢献することを可能とする。
【符号の説明】
【００４４】
１      衣類陳列用ハンガー
１０    シート部材
１１    長板部
１２    短板部
１３    中間板部
２０    鈎状部材
２１    ベース部
２２    鈎部
２３    上側バー
２４    下側バー
３０    靴下
４０    留糸
４１    掛け金
５０    ショーツ
【図１】
0003224848.tif 000003
【図２】
0003224848.tif 000004
【図３】
0003224848.tif 000005
【図４】
0003224848.tif 000006
【図５】
0003224848.tif 000007
【図６】
0003224848.tif 000008
【図７】
0003224848.tif 000009
【図８】
0003224848.tif 000010
【図９】
0003224848.tif 000011
【図１０】
0003224848.tif 000012
【図１１】
0003224848.tif 000013